(57)【要約】      （修正有）【課題】パンツファッションに対応出来るガードルでヒップの高さと丸みを形成し、パンツやスラックスを履いても当りがでないガードルを提供する。【解決手段】腰布２，２Ａを斜めに切替え、後足繰り部分へつなげ、更に前布１，１Ａへと繋ぎ、その長い紐状になったもので、足挿入口になる輪を形成し、その輪を基軸に後腰布３，３Ａとヒップ布をつなぎ合わせることで側面をカットした樽状のヒップカップで左右のヒップを別々に包み込み、引き締め持ち上げヒップ周りの切り替え線上の後股下部分と前股下の縫目とに前当布を挟込むことで、女性のデリケートな部分への食込み防止と汚れ防止をした。この様に股底に股下と前当布との２重構造の面を造ったことで、一枚で履ける新しいヒップ形成ガードルを完成。このガードル一枚で着用することでデリケートな部分の通気性と締付けから解放され、快適な着心地とおしゃれに着こなせ、ストレス解消効果もある。【選択図】      図１
2004156193.tif 000002
【特許請求の範囲】
【請求項１】
女性用のガードルで、左右のヒップのトップと高さ、丸みを確保し、左右のヒップを独立させてきれいな形を構築するために、（図４）で表した腰布（２）と前布（１）をつなぎ合せることで、出来る（図６）、（図７）、（図８）で示すような輪、すなわち中華のレンゲを思わせるような、船の船底を抜いたような形で、逆円錐型の形状の吊り輪を左右２個造ることで、２つのヒップを別々に、足挿入口を締め付けることなく、ヒップの自然な持ち上げを可能にした。この輪を基軸とし、帯の部分となる（３、３Ａ）と（２、２Ａ）を縫い合わせることで、お腹の引き締めと、ヒップの持ち上げ、吊り下げを明確により効果的にした。この２つの船形の逆円錐の吊り輪で、アンダーヒップを左右別々に吊り上げることを特徴とするヒップ形成ガードル。
【請求項２】
女性用ガードルで、ヒップアップされた形の良いヒップトップを形成するために、左右の盛り上がりの部分を丸く切り抜き、切り抜いたヒップの山の部分に縦の切り替え線（１１、１１Ａ）を入れ、膨らみと山のトップの位置をダーツ処理し、前腰布（図２−２、２Ａ）と後腰布（図２−３、３Ａ）の間に挟むことで、腰布の締め付けと持ち上げとで移動したヒップの肉を（図２−４、５）（４Ａ、５Ａ）のヒップ布の立体部分に追い込み、ヒップの形を形成する。締め付けの力と持ち上げの力をヒップの中心にはかからないように、左右に分散させることで、ヒップの形を崩すことなく、引き締めとヒップアップ効果を確実なものにできた。本発明のガードルは（図９）で示す様に、上下の抜けた樽状のカップで、左右のヒップをそれぞれ吊り上げる形状を造った。ヒップの肉の逃げ場を造り、吊り上げと吊り下げ、締め付けの３つの力を利用して、ヒップの山のカップでヒップの肉を受け留めることで、体系や形に左右されず形の良いヒップを形成し、理想的なヒップラインを提供する。２つのヒップトップをそれぞれの樽型のカップで、左右それぞれに吊り上げることを特徴とするヒップ形成ガードル。
【請求項３】
女性用ガードルで、ヒップトップの形を形成するための切り替え線（図３−１２）と後股底の股繰り線（図３−７Ｃ）をカーブにして、股下を付けることで、ガードルの股繰りをお尻の谷間に添わせることができる。すなわち、後身頃のみに股下を造ることで、左右独立したヒップアップ効果を高めるために必要なアンダーヒップを支える面が得られた。その結果、ガードルの後ろ股繰りができたことで、パンツやスラックスのまた繰りが体に沿うようになり、表に影響を与えない、当たりのでないガードルを完成させた。ガードルで股繰りを付けることはデリケートな部分への食い込みの問題で、タブーとされてきた。その問題を解決したのが、本発明のガードルのカッテイングで、食い込み防止と汚れ防止のための必要な、吊り橋状に渡した前当布（図１２−９）の２重構造であった。パンツ型の股繰りに吊り橋型の前当布を渡すことで、異なる面の立体構造の股底を特徴とするヒップ形成ガードル。
【発明の詳細な説明】
【０００１】
【発明の属する技術分野】
本発明は、女性用下着のガードルで、女性のヒップの形を整え、特にスリムパンツや、スラックスをはいたときに、目立つ下着のあたりをなくすために、ガードルに、股ぐりを付けることで、パンツやスラックスを綺麗に見せることを可能にし、その股付の股への食い込みを防止するためのあて布を２重構造にする事で、一枚で着用を可能にしたガードルに関するものである。
【０００２】
【従来の技術】
従来のガードルにおいては、ショーツ型で、締め付けることを目的としているため、本来、お尻の２つの山は左右に分かれているはずのものが、赤ちゃんがオムツを付けた時ののような形になってしまう。このようにお尻の割れ目がくっついてしまい、お尻の山を押しつぶしているものがほとんどである。このようにお尻の割れ目をつぶしたガードルは、パンツ、スラックスはもちろんスカートであれ、シルエットの綺麗な装いは得られない。これまでの下着は服と下着が一体化しておらず、これほどまでに女性の多くがパンツを履くようになったにも係わらず、パンツルックを綺麗に見せるガードルがないのが現状である。
【０００３】
【発明が解決しようとする課題】
従来、販売されているガードルの種類は本当に数多く、レース柄やジャガード柄等、凝ったものやカッテイングや素材感に特徴を持たせた物など、多種のガードルが出回っている。ところが基本形はどのメーカーの商品を見ても、申し合わせたように同じスタイル、シルエット、パターンの物ばかりである。女性の美しいヒップライン及び形の良いヒップを形成できるガードルがない。単なる締め付けるだけの物でしかないのが現実である。ガードルがいかに服となじみが悪いかは、付けている本人には分からない。ガードルは着けることで、細くなり、形の良いお尻になっていると、締め付け感だけで錯覚を起こさせている。実際のところは服のシルエットを崩し、醜い後ろ姿になっている。もっと女性の肉体がデリケートでソフトな物であり、着用した人は自分自身の後ろ姿をみることができないだけに、生産者は下着と服とを切り離して考えては絶対にいけない。下着の役割は、見えない後ろ姿こそ、より美しく、女らしくセクシーに見せる下着を作るべきである。やせていようと、太っていようと、その人の女性らしさの体型と着こなしの魅力を提供する下着こそが、女性の下着の大きな役割である。補正下着や矯正用下着こそ問題が多い。ただただ締め付けて苦痛を与える下着であってはいけない。バストを綺麗に見せるブラジャーと下半身の考え方も何ら変わりはない。ガードルにおいては、ヒップの形を形成する下着こそが、服を綺麗に見せ、女性の美しさの表現ができるのである。着用した時のシルエットの美しさと、着用した喜びを与え、見る人にも同様の喜びを与えるべき物です。女性のそれぞれの体系で、服を着こなすためのガードルが必要である。本発明はこのような問題を解決するためになされたものである。
【０００４】
本来、日本の女性のお尻の肉は軟らかく、非常にデリケートで安定しにくいものである。発したり跳ねたりの運動をやっている人は比較的引き締まっているが、殆どの女性がそうではない。十代でも垂れている人が非常に多い。もともとのヒップの形が西欧人に比べ骨格が違うため、形の良いお尻は望めない。それではその理想的なヒップを下着によって造るしかない。そうすれば理想的な洋服の着こなしを可能にすることができる。現在市販のガードルの様に、ただ締め付ける方法では不可能である。なぜなら、市販されているガードルの構造では、ヒップトップが押しつぶされてしまい、ポイント位置は中心によりすぎて、ヒップの山は２つあるはずなのに中央に寄せられ、ヒップトップの高さもキープされないために、服をおしゃれに着こなせない。ただしサイズを小さくする機能はある。このようにいろいろと考えられてはいる様ではあるが、結果的には締め付ける機能だけのものになっている。
【０００５】
本発明は、このような締め付け重視のガードルではなく、女性の体の形を整え、スラックスやスリムパンツに限らずボトムを綺麗にはけるガードルを造りたいと考え、女性の体の特徴と締め付けるために及ぼす歪みを分析し、服を綺麗に着こなすための立体的なシルエットを造るための機能的で快適なガードルを提供するものである。
【０００６】
【課題を解決するための手段】
本発明は、従来のガードルの問題点として、（図１４）のオムツ型、ショーツ型では、どんな綺麗なシルエットのパンツを履いても、綺麗なシルエットはでないで、おかしなシルエットになってしまう理由を調べたところ、このショーツ型のガードルではお尻を締め付けることにより、（図１８）−（Ｂ、Ｂ′）の断面図で表すとおり、ヒップの谷間が無くなり、凹凸の少ない形になっている。その結果、パンツの股繰りが体に沿わず扁平なお尻になってしまうことが分かった。ショーツの様に柔らかい素材であれば、スラックスやパンツを履いても、股繰りがショーツにじゃまされることなく、ヒップの谷間に綺麗に沿ってくれるが、ガードルで固めたヒップにはスラックスやパンツは不向きであることが証明できる。女性のパンツの後ろ姿で、ガードルを履いている人はすぐに分かる。ガードルの股下の縫い目が写り、パンツの股繰りが食い込まず平面的で、ヒップの山の無い扁平なお尻になっている。そこで、この問題を解決するには、ヒップの２つの山を独立させて、ヒップの頂点を固定し、それぞれのヒップをの形成する必要があることが分かった。
【０００７】
そこで、従来のガードルで締め付けたときに、どの様な力で締め付けられ、その締め付けにより、ヒップの肉がどの様に変化するのかを分析した。その結果、お腹の肉は内蔵の方向へ押さえつけられる分と、締め付けのかからない部分への移動していることが分かった。ヒップの締め付けによるお尻の肉の移動は、ヒップの膨らみの部分が上下と横に変形し、ヒップの谷間や股繰りの部分で、締め付けのないところへ移動し、ヒップの肉が谷間である中心に集まり（図１６）で示すとおり、ヒップトップの断面線（Ｆ−Ｆ′）で現れる（Ｈ、Ｈ′）の形状にみられるとおり、楕円がくっついてしまった状態になっている。ガードルの締め付けにより、ヒップトップをつぶし、谷間を埋め込むことで、ヒップサイズが小さくなっていたのである。このようにヒップの形を崩すことで細く見えていたことが分かった。このように外的な押さえる力で、自由にお尻の肉は移動し、意外と簡単に変形することが分かった。現在、市場で販売されているガードルの形状では、いくらカッテイングや素材等のテクニック、編み地の変化等で立体を駆使したところで、（図１８）の様な筒上の締め付けに対してショーツ型の股下のガードルの構造では、ヒップにベルトを締めているようなもので、形の良いヒップを形成するのは難しいことが判明した。
【０００８】
本発明は、女性の胸を綺麗に見せるブラジャーのように、ヒップも形を安定させて持ち上げ、服を綺麗に着こなせるガードルが必要であると考え、アウターとインナーの関係を見直し、服を着たとき、いかに綺麗なシルエットに着こなせる下着にするかが、本来のガードルの着用目的の大前提であるはずである。利用者が購入するときの目安に、パッケージの写真を参考にして購入しても実際着用して、写真の様になるはずがありません。現実は街で見かける醜いお尻のパンツ姿になっている。この現実は、人にいわれない限り本人は気付かない。だからこそ下着メーカーはこの現実を解決する必要がある。下着メーカーもパッケージに載せる写真のモデルのようなヒップを約束できる下着を提供しなくてはならない。素材や機械の開発により省力化が進み、縫製仕様に合わせた下着やストレッチ性による締め付けの力に任せた下着が多いようである。本発明は本来のガードルの役割である締め付けることから脱して、女性の服の着こなしとおしゃれを考え、人間工学に基付いたまったく新しい発想で、ヒップを形成する下着を造ることを目的として開発した。特にパンツファッションが定着してきた今、特にパンツの着用機会が増え、ヒップが人目に晒される現状がある。ヒップアップされた形の良いヒップを形成し、安心して街を歩けるために、本発明のガードルを作り出しました。立体的にヒップの山を別々に持ち上げ、一枚で履いても食い込みと汚れを防止する２重構造のショーツの役割を果たす前当てのある股付きガードルが完成しました。これまでのガードルの問題点を解決するには、形や構造の面でもこれまでのガードルというイメージと固定概念を取り除き、もっとも理想とする女性のヒップの形を造り出すために、それぞれの女性の体型で、いかに綺麗なボデイラインを作り出せるかで、服を着る喜びと満足感を与え、さらにはその装いが周りの人に作用する。
【０００９】
【発明の実施の形態】
本発明の実施の形態に付いて図面を参照して説明する。
（図１４）は従来のガードルをはいた姿であるが、まるでオムツを付けたような状態である。この形状のガードルは（図２０）で示すように、お尻の周りを覆う筒上のものと股下の部分を支える当て布の縫い合わせたもので構成されている。この状態のガードルを付けると、お尻が締め付けられ、どの様になるかを示した図が、（図１６）、（図１８）である。（図１６）の（Ｈ、Ｈ′）は、（Ｆ、Ｆ′）の断面線でみるヒップの山の形状を示したものである。これはヒップの山が中心に寄せられ、（Ｈ、Ｈ′）がくっついてしまった状態で、ヒップがつぶされてしまった状態を表している。本来ヒップの左右の山は（図１５）で示すように２つの楕円で構成されている。更に（Ｂ、Ｂ′）のヒップの断面図は締め付けによりお尻の谷間が押しつぶされた状態を表している。このようにお尻の形を壊してしまっていることを証明できる。（図２０）はガードルを付けていないときの自然体のお尻の断面図であるが、これと比較してもヒップの谷間の状況が分かる。この様に従来のガードルでは、パンツやスラックスが綺麗に履きこなせないことが分かった。
【００１０】
そこで、この問題を解決するには、ヒップの形状とヒップ周りの体の造り、立体を構成している面と線を分析し、矯正下着でも補正下着でもない、さらにはサポーターでもないもの、アウターを綺麗に見せるヒップ用の形成用下着が必要であることが分かった。従来の（図１４）の様なガードルを分析してみたところ、ヒップの形成は絶対に不可能であることが分かった。その理由として、股底の一枚の面でできている形状のものでは、ヒップを締め付ける力には作用するが、上への引っ張りには、あまり作用しないことが分かった。ヒップトップのポイントはあくまでも締め付けの力の一番弱いところ、すなわちヒップ周りの寸法が大きいところが、ヒップトップの位置となり、（図２１）で示したとおり、筒状のガードルでは、お尻を包み込んで一つにまとめているという結果になる。このように締め付けの力でお尻の肉は、締め付けのない部分と弱い部分に移動する。お尻の谷間と股下足繰りの部分へ逃げてしまい、形の良いヒップアップとは縁遠いものである。その問題を解決するためにも、締め付けの力の方向とその力を左右のヒップトップ方向へ分散し、股底を中心に考えるのではなく、両足にそれぞれ軸を持ってくることで、片方づつヒップを支える方法を考えた。締め付けの力を一番必要とする部分と必要としない分を分けることで、得られたのが、（図１）の正面斜図で表す前の切り替え線と（図２）の背面斜図で示す切り替え線である。
【００１２】
これまでのガードルでは考えられなかった切り替え線、（図３）は本発明のガードルの左半身を立体分解図である。ヒップを形良く綺麗に作り上げるために必要な立体を構築するための切り替え線を示したものである。従来の下着は合理化のために、縫い行程を減らすために、縫い目のない下着を出すようになった。ところがそうなるにつれて、下着と体はなじみますが、服と体がなじまなくなってきたのです。シルエットを造るためには、締め付ける発想からシルエットを造る発想へ転換する必要がある。このようにガードルを着用する意味と目的をどの様に理解するかで造る商品が変わってくる。おしゃれな下着やガードルはたくさんありますが、服を綺麗に見せる下着は、ガードルは殆どありません。特にパンツのはけるガードルを造るために人間工学に基付いた立体を考え結果、本発明のガードル、図でしますような切り替えの立体が完成したのである。
【００１３】
そこで本発明の展開図（図３）を基に平面図に表し、立体を構築する左半身のパーツに分けたものが、（図４）で示すものである。（図５）は、左右のそれぞれのパーツを立体に分化し、前パーツを示したもので、パーツ（２）と（１）、（２Ａ）と（１Ａ）をつなげると２つの輪ができる。この輪が、本発明の（請求項１）の内容でもあるヒップをつり上げるための重要なポイントになる。この基本となる輪の正面図が（図６）、背面図が（図７）で示すとおり、微妙な角度の傾斜の付いた輪になっている。形状的には中華で使うレンゲの様な、また舟底を抜いた船のような形状の逆円錐の輪ができる。この輪はヒップアップのための吊り上げる役目と締め付けの役目の重要な基軸となるパーツである。
【００１４】
この船型の逆円錐のパーツに（図９）で示すようにそれぞれの立体を構築するパーツを（３、４、５）を組み立てることで、（請求項２）の内容でもある上下が抜け、斜めに切り込みの入ったような樽状の筒ができる。この樽状の筒が、それぞれ左右のヒップを別々に支え、立体を構築するブラジャーで言うカップ、すなわちヒップのカップになる。この２つの樽状のヒップのカップを縫合することで、本発明のヒップのブラジャーとも言えるガードルが完成するのである。その結果、これまでにないヒップアップ効果と丸く形の良いヒップの形成ができる。
【００１５】
この様に左右が完全に独立した綺麗な形のヒップと安定したヒップアップを可能にしたということである。完成図は（図１）正面斜図と、（図２）背面斜図のようになる。その違いを従来のガードルと比較した場合、その違いは造形だけでなく、構造上も全く違うものである。その従来のガードルとの違いを比較をしてみると（図１３）が本発明のガードルでヒップの中央の股繰りにかけて、谷間ができている。（図１４）は従来のガードルでヒップの中央から股繰りにかけて、谷間が無くなっていることが分かる。このように左右のヒップの丸みと谷間ができているかどうかで、そのガードルがパンツを履いたときにどの様な状態になるかが分かる。（図１４）の従来のガードルでパンツを履くと当たりがでることが証明される。更にその違いを比較してみた。（図１９）はなにも着用していない状態でのヒップの断面線（Ｄ−Ｄ′）での断面図であるが、このような形状のヒップに対して、（図１５）は本発明のガードルを着用した場合、（Ｃ−Ｃ′）の断面線での断面図はヒップの等高線を表していて、楕円（Ｅ、Ｅ′）はヒップの山が左右に独立して立体になっていることを意味している。（図１６）は従来のガードルを着用したときのヒップの山の状態を表しており、断面線（Ｆ−Ｆ′）での断面図である等高線は（Ｈ、Ｈ′）は、ヨーヨーの様に楕円がつながってしまった形状になっている。これは、ヒップの山が中央に寄せられた結果を表している。更にヒップの谷間に関しては、（図１７）は本発明のガードルを着用したときの断面線（Ａ−Ａ′）の断面図で谷間ができていることが分かる。（図１８）は従来のガードルを着用したときのヒップの断面線（Ｂ−Ｂ′））での断面図で、谷間がなくなっていることが分かる。このように本発明のガードルと従来のガードルの立体の違いが確認された。
【００１６】
このように本発明のガードルには後身頃のみとはいえ、股繰りを付けることで左右のヒップを独立させ、立体を確保することを可能にした。ところが、このような下着で、例え後ろ身頃だけとはいえ、下着に股繰りを付けると言うことは、従来の下着メーカーでは発想しない。すなわち、股繰り、股下を付けることで女性のデリケートな部分への食い込みが心配されるからである。しかし、この問題も股底に前当布（図１０）−（９）を付けることで解決できる。その前当布とは今回の発明の（請求項３）にあるように、股底に２重構造を造ることだった。股下の縫合線（１０）と縫合線（１２）に前当布（９）をはさみ込むことにより、股底の部分の断面線（Ｐ−Ｐ′）での断面図（図１１）で示す通り、股下の面（２、２Ａ）とで出来る山形の上に、前当布（９）が乗った状態の２重の立体構造の面を造ることを可能にした。その前当布の付けられた状態を表したのが、断面線（Ｑ−Ｑ′）で表した断面斜図（図１２）である。その結果、デリケートな部分への食い込み防止と汚れ防止の前当布に、抗菌、防臭加工を施すことで、更に前当布の有効性を発揮できる。このような全く新しい構造が、ショーツの上に重ねて履く必要もなく、一枚で履けるガードルを完成させた。
【００１７】
よって、本発明はガードルにより女性を締め付け、苦しい思いをさせている割には、ヒップの形を崩し、パンツをはいた姿を醜くしていたガードルに比べ、窮屈な締め付けからではなく、ヒップの形を良くすることで、服の着こなしをおしゃれにする事が、自他共にファッションを楽しむことを目的としたヒップの形成下着を完成させた。この発明品は、着用する事で快適な着心地と綺麗なヒップの形を得られるという満足感にあわせ、締め付けによるストレスからも解放される健康的下着である。下着の目的をおしゃれを楽しむための下着として、着用者の本来の目的に合わせることで、新たな生活環境を得ることができる。それは下着を着ける喜びと服をおしゃれに着こなせるという喜びに加え、肉体的にも精神的にもリラックスできる下着こそが、女性の美しさにつながり、このような下着を造ることこそが下着産業に著しい波及効果を及ぼすものである。
【図面の簡単な説明】
【図１】本発明の形成用ガードルの正面斜図である。
【図２】本発明の形成用ガードルの背面斜図である。
【図３】本発明の左身頃の展開図である。
【図４】本発明の左身頃の平面図である。
【図５】本発明の背面立体分解図である。
【図６】本発明のヒップを支える基軸になるパーツの組立正面図である。
【図７】本発明のヒップをさせる基軸になるパーツの組立背面図である。
【図８】本発明のヒップを支える基軸になるパーツの中心側からみた側面図である。
【図９】本発明の形成ガードルの左半身を組み立てた見頃の中心側からみた背面斜図である。
【図１０】本発明の前当布を付けた状態を表す平面図である。
【図１１】本発明の前当布部分を断面線（Ｐ−Ｐ′）での断面図である。
【図１２】本発明の前当布部分を断面線（Ｑ−Ｑ′）での断面斜図である。
【図１３】本発明の形成ガードルを着用した背面斜図である。
【図１４】従来のガードルを着用した背面斜図である。
【図１５】本発明の形成ガードルを着用したときのヒップの山の状態を断面線（Ｃ−Ｃ′）での断面図である等高線を表した背面図である。
【図１６】従来のガードルを着用したときのヒップの山の状態を断面線（Ｆ−Ｆ′）での断面図である等高線を表した背面図である。
【図１７】本発明のガードルを着用したヒップの断面線（Ａ−Ａ′）での断面図である。
【図１８】従来のガードルを着用したヒップの断面線（Ｂ−Ｂ′）での断面図である。
【図１９】女性のヒップの側面図である。
【図２０】ガードルを着けていない状態のヒップの断面線（Ｄ−Ｄ′）での断面図である。
【図２１】従来のガードルの形状を表す背面斜図である。
【符号の説明】
１、  １Ａ      ：  前布
２、  ２Ａ      ：  前腰布
３、  ３Ａ      ：  後腰布
４、  ４Ａ      ：  後ヒップ布
５、  ５Ａ      ：  脇ヒップ布
６ａ、６ｂ      ：  前中心縫合線
７ａ、７ｂ、７ｃ：  後ろ中心縫合線
８ａ、８ｂ、８ｃ：  足口線
９        ：  前当布
１０        ：  股下縫合線
１１        ：  ヒップ布縫合線
１２、１２Ａ    ：  腰布縫合線
１３        ：  後腰布縫合線
【図１】
2004156193.tif 000003
【図２】
2004156193.tif 000004
【図３】
2004156193.tif 000005
【図４】
2004156193.tif 000006
【図５】
2004156193.tif 000007
【図６】
2004156193.tif 000008
【図７】
2004156193.tif 000009
【図８】
2004156193.tif 000010
【図９】
2004156193.tif 000011
【図１０】
2004156193.tif 000012
【図１１】
2004156193.tif 000013
【図１２】
2004156193.tif 000014
【図１３】
2004156193.tif 000015
【図１４】
2004156193.tif 000016
【図１５】
2004156193.tif 000017
【図１６】
2004156193.tif 000018
【図１７】
2004156193.tif 000019
【図１８】
2004156193.tif 000020
【図１９】
2004156193.tif 000021
【図２０】
2004156193.tif 000022
【図２１】
2004156193.tif 000023
【手続補正書】
【提出日】平成15年3月10日(2003.3.10)
【手続補正１】
【補正対象書類名】明細書
【補正対象項目名】００１７
【補正方法】削除
【補正の内容】
【手続補正２】
【補正対象書類名】明細書
【補正対象項目名】全文
【補正方法】変更
【補正の内容】
【特許請求の範囲】
【請求項１】ヒップアップとお尻の形を形整する下着で、（図５）で表すところのパーツの役割として、フレーム（Ｆ、ＦＡ）は両足の付け根を固定する部分、後ろヨーク（３、３Ａ）は腰を固定する部分、ヒップカップ（Ｋ、ＫＡ）はお尻の山を形創る部分の３カ所を固定する事で、確実な補正を可能にした。フレームは両足の後ろ付け根に巻き付けるように固定することにより、足の付け根とお尻の境界線を明確にし、臀部の肉を下へ逃がさずカップ内に押し込む役割を果たす。この様に、お尻の肉が移動する事で、容易に持ち上がる力に転換出来るカップの構造が出来た結果、これまでにない強力なヒップアップとヒップの形整を可能にした。この様に、力学の応用による足の付け根を固定するフレームを特徴とするヒップ形整パンテイー。
【請求項２】お尻のブラジャーとして、お尻のカップを支えるフレーム（図８）が出来たことで、左右独立したヒップのカップ（図９）が可能となり、締め付けないで強力なヒップアップとお尻の形整を実現した。そのヒップカップは（図３）のカップ布（４、５）の２枚の面で構成されており、高さや形も自由に設定出来るようになった。本発明のヒップカップは（図６）で表したように、カップ布（４、５、４Ａ、５Ａ）の下部（Ｓ、ＳＡ）で、縫い止まり（Ｙ）より上を重ねる状態で、縫い目を入れず立体を構成しており、重なった部分（Ｐ、ＰＡ）の斜線の部分の（Ｍ−Ｎ）、（ＭＡ−ＮＡ）が通気口となっている。これはヒップのブラジャーとして、フレーム（図８）で両足の付け根とヨーク（３、３Ａ）でウエストの上下を固定することで、お尻の形を形整する円錐型のカップを造ることを可能にした。この様なお尻を形整するヒップカップを特徴とし、さらには、通気口を備えたヒップカップを特徴とする補正の為のヒップ形整パンテイー。
【請求項３】下着では不可欠の従来のクロッチをなくす事で、全く新しいお尻のブラジャーとしての補正下着を完成させた。この下着を一枚で着用するために、（図１０）の斜線で示す（９）は新しい形状のクロッチで、これは（図１１）、（図１２）で図解した立体構造をしており、女性のデリケートな部分への食い込みと汚れを防止をしている。この様な３次元構造のクロッチを特徴とするヒップ形整パンテイー。
【発明の詳細な説明】
【０００１】
【発明の属する技術分野】
本発明は、補正を目的としたパンテイーで、ヒップの形を整え、確実なヒップアップを実現し、特にパンツやスラックスを履いた時のお尻が崩れないように、形良く綺麗なラインを造るために、締め付けないで補正し、強力なヒップアップを可能にする事が、ストレスの解消と健康を重視した下着であり、一枚で履ける補正の為のヒップ形整パンテイーに関するものである。
【０００２】
【従来の技術】
従来のショート丈の下着の股底は、一枚のクロッチで形を成している。これが世界共通の下着の構造であるが、この構造で補正下着を造ると問題がでる。このことに気付いてはいるようだが、その解決策は見つかっていないのが現状である。股底をクロッチ一枚で支えたガードルでは、ただ締め付けるしか方法がないのも事実である。いろいろ研究した結果、従来の下着の構造では、補正は不可能であることが判明した。たとえ補正下着を造ったとしても、お尻の形をつぶしてしまい、服を着たときに醜いお尻に成ってしまう。特にパンツファッションにとっては、大敵と言っても過言ではない。このことを証明するために調査したのが、次の内容で、従来のガードルを着用した時のお尻の形を表したのが、（図２０）の側面図である。（図１９）の何も着けていないお尻と比較しても、余り変化がない。従来のクロッチで支えた筒状のガードルで、締め付けが原因でお尻の肉は下の方へ押し出される状態で、下がる力に変化することが判明した。更に、締め付けることでリンパの圧迫や血行不良の原因になり、足の浮腫や下半身に脂肪が付く原因になっている事も解った。この様に従来の補正下着は、お尻の形を壊すだけでなく、健康面でも弊害だらけである事が証明された。この様にファッション面や健康面でも問題が数多くあるにも係わらず、素材や縫製技術の開発や機械化による合理化はどんどん進んでいるようである。しかし、本当に女性の身になって、物造りがなされているのか疑問である。この様に、女性のお尻に対しては、特に構造上の技術開発が遅れているのが現状である。
【０００３】
【発明が解決しようとする課題】
本発明の解決課題は、形良くヒップアップし、美しいヒップラインを形整出来るお尻のブラジャーを造り、おしゃれと健康を意識した補正のための下着を完成させることである。特に、パンツを履いたときのお尻に注目し、理想的な形良いお尻を形整する下着を、締め付けないで実現することである。
【０００４】
本来、女性のお尻の肉は軟らかく、安定しにくいもので、動きやちょっとした締め付けで変化してしまう。このようなお尻に対して、現在、販売されている補正下着の殆どが、締め付けのテクニックの物しか存在しないのが現実である。これでは綺麗なお尻は望めない。着用する本人は締め付けることで、お尻はヒップアップされ、形良くなっているという錯覚と思いこみで、自分のお尻が醜い姿になっていることには気付いていない。この様にお尻と下着の関係を調べてみると、締め付ける力が強ければ強いほど、お尻は持ち上がらないことが判明した。更に詳しく調べてみると、従来のクロッチで支えたショーツ型の補正下着では、ヒップアップ効果は皆無に等しいことも解った。このクロッチはショーツやガードル等のショート丈の下着には欠かせないものであり、人の体が、股の部分で２股に分かれている以上、自然発生的に生まれる構造でもある。下着のクロッチの形状は世界共通であり、このクロッチが原因する問題も世界共通と言える。このクロッチを採用した股底の補正下着は、特にパンツファッションとは全く馴染まない構造である事が解った。このことを問題視し、解決しようとするのが本発明の目的である。
【０００５】
本発明の下着は、理想的なお尻を形整し、パンツに限らず、服を着たときに綺麗なヒップラインを提供することを目的とし、これまでの物造りは、下着姿を想定して造られており、綺麗な下着が開発されてきた。これからは、特にパンツを履いたときのお尻の形はどの様に見えているか、下着を着けたときの下着の影響を考えて造る必要がある。本発明は、服を着るためのお尻の補正が目的であり、従来のガードルの不変的なスタイルと構造の固定観念を捨て、人間工学に基付いてお尻を分析し、研究し、締め付けない補正下着を造る為に、力学の応用を取り入れた全く新しい立体構造を構築する事で、お尻の形整と強力なヒップアップを可能にして、特にパンツやスラックスを履くためのヒップ形整パンテイーを提供するものである。
【０００６】
【課題を解決するための手段】
従来のガードル（図１５）のような、筒状の腰布に対して股底のクロッチ１枚で支えた構造では、綺麗なお尻のラインは得られないことが判明した。その理由として、従来のガードルの構造は、腰布自体がお尻を締め付けるベルトのようなもので、ヒップ周り全体を締め付けており、まるでお尻のハムみたいになっている。そのような結果、お尻の形はなくなり、お尻の谷間は埋め尽くされ、一つの固まりとなったお尻は重みを増し、股底のクロッチの方向へ引っ張られるように下がってしまう。これが従来の締め付けのガードルの形状が生み出す現象である。この様に、お尻を締め付ける力は、お尻の肉を下へ押し下げる力に変わることが証明できる。下着の構造により生まれる力が、どの様に働くか、これまでの下着では全く考えられていないのが事実である。このような問題を含むガードルでは、ヒップアップも補正も絶対に不可能である。よって、この問題を解決するには、締め付けないで補正する下着を造ることである。
【０００７】
更に、従来のガードルの締め付けが、お尻の形にどの様な影響を与えているか、分析してみたところ、次の内容のことが解った。ガードルで締め付けられたお尻の肉は、ヒップの谷間や締め付けの力の弱い部分、締め付けのない部分への移動で、締め付けの力を吸収していた。その結果、移動した肉はシルエットを変え、醜いお尻へと変化していた。そこで解ったのが、このお尻の肉が移動し、変化する力を利用して、ヒップアップと形整する構造を造れば、締め付けないで、ヒップを形整する事が可能になることを発見した。
【０００８】
本発明は、お尻の肉を移動させることで、ヒップの形整が出来るという仮定で、その構造に必要な条件を探すことであった。お尻の山の位置と形の関係、その周りにある体の形状を利用するためには、足の付け根とお尻の境界線に注目をした。その結果、お尻の底を支えるのではなく、更にその下の足の付け根を固定するところへ至った。この様にして、お尻の肉を移動させるための下着の構造を構築して行く中で、分析を重ねていくと、従来のガードルの構造が、全く機能しないことも判明してきた。補正下着の目的は、パンツを履いた時のお尻の形を綺麗にすることであり、これが解決すれば、何を着ても問題ないと言うことでもある。補正下着を着けることで、誰が見てもおしゃれといえるシルエットのお尻が得られることがもっとも重要である。このことが、おしゃれをする喜びと満足を自他ともに与え、さらには健康面にも作用する。
【０００９】
【発明の実施の形態】
本発明の実施の形態に付いて、図面を参照して説明する。（図１９）は女性のお尻を側面より見たヒップの形を表している。（図２０）は、従来のガードルを着けたお尻の状態の側面図で、この２つを比較しても殆ど変わらない形をしていることが解る。更に、（図１５）は、従来のガードルを着けたお尻を背面斜図で表したもので、膨らみすぎたラグビーボールのようになっている。これはヒップが、それほど持ち上がっていないことを表すと同時に、お尻の割れ目がなくなってしまい、お尻の２つの山が、１つの山になった状態を表している。これらの内容を更に裏付けるのが、ヒップの山の等高線での断面線、（図１８）の（Ｄ−Ｄ）による断面図（図１６）の（Ｈ、ＨＡ）で、締め付けによりお尻の左右の山が中央に寄せられ、くっついてしまった状態を表している。このような下着を着けたお尻の状態は通常は当たり前で、下着姿だけを見た場合には何の問題もなく、キュートでセクシーなお尻といえる。この様な形状のお尻で、パンツを履くと問題が発生し、醜いお尻となってしまうのである。このことが、下着とパンツがリンクしていないことの証明である。その醜い状態というのは、お尻の割れ目をガードルの締め付けで押しつぶしてしまい、パンツの股繰りが、お尻の谷間に添うことが出来ず、お尻全体が平らになり、お尻の山がなくなり、重さを感じさせるお尻になってしまう。このようなパンツを履いた後ろ姿は、着用した本人は見ることが出来ないため、その醜さの実感はない。他人のお尻に対しては、誰もが承知した事実である。このようにクロッチで支えられたショーツやガードルでは、綺麗なお尻を形整する事は不可能であることが明確になった。
【００１０】
このように、（図１５）、（図２０）で表した従来のガードルのような構造で、締め付けるタイプの下着はパンツファッションには不向きであることが解った。その最大の原因が股底のクロッチが果たしている役割と構造にあった。勿論クロッチがなければ下着としての役割を果たさなくなるので、絶対に必要なものではある。しかし、その構造と形状に問題があった。筒状のヒップバンドを、お尻の周りに固定出来るように付けたクロッチはストッパーの役割だけしかない。このクロッチが、これ以上変わり様がない不変的な構造の制約になっていると言うことでもある。クロッチの構造を力学的に見ると、締め付けたお尻の固まりを引き下ろす力に変わってしまっていることも見逃してはならない。その状態を表したのが（図２０）で、腰布（１４、１５、１６、１７）は、すべて股底のクロッチの方向へ引っ張られる構造になっている。その結果、（図２０）で表したように、お尻は持ち上がらず下着のウエストの前が上がり、後ろが下がる状態になってしまう。これが、矯正、補正に限らず、締め付けるタイプのショート丈の下着の特徴であり、ヒップを上げようとする努力は（１５）の切り替えの面でも伺えるが、お尻の下を支える方法では全く無意味な切り替えである。従来のガードルの様に、クロッチで形成されたすべての補正下着に言えるのが、お尻の下のガードルの裾が足の付け根に食い込んで、肉が盛り上がった状態になってしまうのは、足挿入口の締め付けの力に加え、お尻が落ちて、その重みで押さえられる力とガードルの全体の締め付けによる押し出しの力の３つの力が重なって発生する現象である。このことでも解るように、従来の補正下着では、ヒップアップやお尻の形整は不可能であることが証明出来る。これらの問題を解決するには、クロッチをなくすしかないが、それでは形にならない。その結果、出来た構造が（図３）の左身頃で表した展開図である。これは、力学的に叶った構造で、ヒップのブラジャーとして役割を果たすヒップ形整パンテイーで、全く新しい補正下着の原型である。
【００１２】
そこで、本発明のパンテイーの展開図（図３）を基に、製品化するための製図が（図４）で、これは実際に生地を裁断し、縫製するために必要な左半身のパーツを表したもので、（図５）は裁断したパーツの組立配置を分解して立体的に表したもので、これまでの下着のパーツとの違いを表現したものである。その中でも特に注目なのが、力学の応用で誕生した（Ｆ、ＦＡ）のフレームで、これは、本発明の（請求項１）の内容でもある（図３）の（１）のフレーム前布と（２）のフレーム布を繋いで、（図４）で示したフレーム布（１、２）を１本の紐状にしたものを輪に繋げ、両足の付け根のお尻の下に巻き付けるように添わせることで、左右独立したヒップカップ（Ｋ、ＫＡ）を支える構造が出来、全く新しい補正下着の完成につながった。
【００１３】
この様にフレーム（Ｆ、ＦＡ）で両足の付け根に固定し、ヨーク（３、３Ａ）で腰に固定することで、ヒップカップの固定を確実なものにした。これは、ヒップの形整とヒップアップが確実なものになり、お尻のブラジャーを実現したということでもある。このヒップカップの果たす役割は大きく、独立したお尻の山の形整に欠かせないものである。（請求項２）の内容でもあるヒップカップの設計図が（図７）の（４、５）である。カップ布（５）の（１１ｂ）と（４）の（１１ｄ）を縫い止まり（Ｙ）までを縫い合わせ、カップ布（５）の（１１ａ）の上に、ヒップ布（４）の（Ｎ）を合わせ、カップ布（４）の（１１ｃ）がカップ布（５）の（Ｍ）の上に重ねて出来たヒップカップ（Ｋ）に対して、ヨーク布（３）を縫い合わせて完成したものが（図９）である。斜線で表した（Ｐ、ＰＡ）部分はカップ布の重なった部分を表しており、この部分は縫い止めていないので、通気口としての役割を果たすのである。座ったり、立ったりの動作によるお尻の肉の伸縮に作用し、空気が動く構造になっていて、お尻の谷間の密閉状態をなくす構造を備えた。従来の締め付けのガードルからは考えられない立体的なヒップカップを特徴とするヒップ形整パンテイーが完成した。
【００１４】
本発明のヒップ形整パンテイーの完成図が（図１）背面斜図と（図２）正面斜図である。（図２）の正面斜図で解るように、前から見た目には、これまでのガードルと比べ、あまり変化はないように見えるが、構造は全く違うものになっている。（図１）の背面斜図では明らかに、これまでのガードルの形状とは違うのは、カップによって、お尻の２つの山が形整され、お尻の谷間から股繰りにかけて食い込んで、股の繰りが綺麗に現れている。更に（図１３）のフレーム（Ｆ、ＦＡ）が、お尻の下の足の付け根に添っていて、完全にヒップカップ（Ｋ、ＫＡ）とは、果たす役割が違うことが解る。この役割の違いを表した側面図が（図２１）で、それぞれのパーツの役割として、（３）と（Ｆ）で、お腹、腰、足の付け根のお尻の周りをしっかりと固定し、（Ｋ）のヒップカップでお尻を型取って、固定していることが解る。その結果、ウエストラインも設定通りの前下がり状態になっていると言うことは、お尻の重みで後ろに下がらない構造が出来たことの証明である。このように役割分担できたパーツで形成されたヒップ形整パンテイーを付けたお尻の山の形を表した（図１４）の（Ｅ、ＥＡ）で、これは（図１７）の（Ｃ−Ｃ）のお尻の山の等高線（断面線）での断面図で、お尻の山の状態を表したものである。綺麗な２個の独立した楕円になっているのは、お尻が綺麗な形の状態でキープされていることを証明している。従来のガードルで同様の検証をしたものが、（図１６）と（図１８）であるが、従来の補正下着の間違った認識と方法が明確になった。
【００１５】
この様に本発明のヒップ形整パンテイーが、締め付けの方法ではなく、ウエストと足の付け根を固定することにより、お尻の肉を移動させる方法でないと、合理的で効果的なお尻の形整は出来ないことが証明された。この様に、非常に不安定な場所に位置するお尻に於いては、お尻だけを持ち上げようとしても、持ち上がらないことが証明され、お尻を持ち上げる方法としては、ウエストと両足の付け根の３カ所で固定しない限り、ヒップアップとヒップの形整には、つながらないことも実証された。これによって、これまでの下着にはなかった構造で、足に巻き付けるフレームを造ったことで、全く新しい下着の構造を完成させた。これを一枚で着用するためには、股の縫い目が女性のデリケートな部分への食い込みを防止し、汚れを防止する必要があった。この問題を解決する方法として生まれたのが、本発明の（請求項３）の内容でもある股底の構造を３次元構造にすることであった。その構造は、（図１０）の（９）の股底に吊り橋状に渡した前当て布で、新しい形状、構造のクロッチを誕生させた。このクロッチを解りやすく説明したものが、（図１１）で表す断面線（Ｑ−Ｑ）による断面図で、山型になった股底に全く異なった面の立体構造を渡す状態にした。これを更に解りやすくしたのが、（図１２）で、断面線（Ｑ−Ｑ）での立体断面図である。フレームの股底の形状と向きの違う面である（９）の前当て布（クロッチ）を吊り橋状に渡すことで、３次元構造の股底が完成した。この様にして、女性のデリケートな部分への食い込みと汚れを防止することで、一枚で履ける補正下着としてのヒップ形整パンテイーが完成した。
【００１６】
【本発明の効果】
本発明によって、これまでのガードルのような締め付けの害から解放すると同時に、パンツを履いたときには特に醜いお尻を創っていた下着からも解放され、世界で初めて、強力なヒップアップと綺麗なお尻を形整する補正下着として、効果的で本格的なお尻のブラジャーと呼べるヒップを形整する下着を完成させた。女性のおしゃれにとって、お尻を形整すると言うことは、必要不可欠の下着の条件である。このお尻のブラジャーが出来たことで、自他共にファッションを楽しむことを実現した。本発明の下着を着けることで、快適な着心地と綺麗なお尻を得られる満足感に合わせ、締め付けによる弊害やストレスからも解放され、健康的な下着としても効果を現すことが判明した。この様に下着の役割と目的を明確にすることで、着用者に満足をしていただける下着が提供できる。この様に生活環境の中で、下着を着ける喜びと、服を着る喜びが直結するために、本発明の果たす役割は大きく、従来の補正下着の現状である生産者の利益誘導型に一石を投じるもので、特にお尻と下着とファッションの関わりや健康面への見直しの重要性を再認識させ、人間工学に基付いた下着を創ることこそが、下着産業に著しい波及効果を及ぼすものである。
【図面の簡単な説明】
【図１】本発明のヒップ形整パンテイーの背面斜図である。
【図２】本発明のヒップ形整パンテイーの正面斜図である。
【図３】本発明の左身頃の展開図である。
【図４】本発明の左身頃の設計図である。
【図５】本発明の背面立体分解図である。
【図６】本発明の背面図である。
【図７】本発明のヒップカップの設計図である。
【図８】本発明のヒップカップを支えるフレームの背面図である。
【図９】本発明のヨークとヒップカップの正面図である。
【図１０】本発明の前当布（クロッチ）の平面図である。
【図１１】本発明の股底の断面線（Ｑ−Ｑ）での断面図である。
【図１２】本発明の股底の断面線（Ｑ−Ｑ）での断面立体斜図である。
【図１３】本発明のヒップ形整パンテイーを着けたお尻の背面斜図である。
【図１４】本発明のヒップ形整パンテイーを着けたお尻の山の等高線での断面図である。
【図１５】従来のガードルを着けたお尻の背面斜図である。
【図１６】従来のガードルを着けたお尻の山の等高線での断面図である。
【図１７】本発明のヒップ形整パンテイーを着けたお尻の断面図である。
【図１８】従来のガードルを着けたお尻の断面図である。
【図１９】女性のお尻の側面図である。
【図２０】従来のガードルを着けたお尻の側面図である。
【図２１】本発明のヒップ形整パンテイーを着けたお尻の側面図である。
【符号の説明】
１、１Ａ              ：  フレーム前布
２、２Ａ              ：  フレーム布
３、３Ａ              ：  後ヨーク布
４、４Ａ              ：  後ろヒップカップ布
５、５Ａ              ：  脇ヒップカップ布
６ａ、６ｂ            ：  前中心縫合線
７ａ、７ｂ、７ｃ          ：  後中心縫合線
８ａ、８ｂ、８ｃ          ：  足挿入口線
９            ：  前当布（クロッチ）
１０、１０Ａ          ：  股下前後結合線
１１            ：  ヒップカップの切り替え線
１２、１２Ａ          ：  ヒップカップとの縫合線
１２ａ、１２ｂ、１２ｃ  ：  フレームとの縫合線
１３          ：  ヒップカップとの縫合線
１３ａ、１３ｂ、      ：  後ろヨークとの縫合線
Ｆ、ＦＡ          ：  フレーム
Ｋ、ＫＡ          ：  ヒップカップ
Ｍ、ＭＡ、Ｎ、ＮＡ    ：  ヒップカップ通気口
Ｐ、ＰＡ        ：  ヒップカップ布の重なり部分
Ｓ、ＳＡ        ：  ヒップカップ布の縫合位置
Ｙ            ：  ヒップカップ布の縫止まり位置
Ｑ−Ｑ          ：  フレームの股底の断面線
Ｅ、ＥＡ、Ｈ、ＨＡ    ：  ヒップの山の断面図
Ｖ−Ｖ、Ｂ−Ｂ        ：  ヒップの断面線
Ｃ−Ｃ、Ｄ−Ｄ        ：  ヒップの山の断面線
【手続補正３】
【補正対象書類名】明細書
【補正対象項目名】００１１
【補正方法】追加
【補正の内容】
【００１１】
そこで、従来のクロッチの固定概念を捨て、お尻の環境を徹底分析し、完成した全く新しい構造の補正下着が（図１）（図２）の完成図である。股底の部分を見ると解るように、従来のクロッチの構造が見あたらない。これが、全く新しい本発明のヒップ形整パンテイーのスタイルである。従来のクロッチは、股底を一枚の股間の面として捉え、下着を形成し、全体を支える軸としての面と、女性のデリケートな部分を保護する当て布とを共有させた為、ショート丈の下着では不変のものとなり、他に変えようがなかった。しかし、本発明では、股底の股間を足の付け根として捉え、その足の付け根をフレームで固定することを考えた。このように、従来の形にとらわれず、あくまでもお尻の形整を目的として、力学を応用し、お尻を科学した結果、新たな発見につながり、ブラジャーの様にカップでお尻を持ち上げる補正の為のヒップ形整パンテイーが完成した。


【手続補正４】
【補正対象書類名】図面
【補正対象項目名】全図
【補正方法】変更
【補正の内容】
【図１】
2004156193.tif 000024
【図２】
2004156193.tif 000025
【図３】
2004156193.tif 000026
【図４】
2004156193.tif 000027
【図５】
2004156193.tif 000028
【図６】
2004156193.tif 000029
【図７】
2004156193.tif 000030
【図８】
2004156193.tif 000031
【図９】
2004156193.tif 000032
【図１０】
2004156193.tif 000033
【図１１】
2004156193.tif 000034
【図１２】
2004156193.tif 000035
【図１３】
2004156193.tif 000036
【図１４】
2004156193.tif 000037
【図１５】
2004156193.tif 000038
【図１６】
2004156193.tif 000039
【図１７】
2004156193.tif 000040
【図１８】
2004156193.tif 000041
【図１９】
2004156193.tif 000042
【図２０】
2004156193.tif 000043
【図２１】
2004156193.tif 000044